(57)【要約】【課題】雲台コントローラを用いてリモコン雲台を遠隔操作するリモコン雲台システムにおいて、遠隔操作によってリモコン雲台の電源を落とすことを可能とするリモコン雲台システムを提供する。【解決手段】リモコン雲台１４はケーブル１６によって接続されるシステムコントローラ１８から電源が供給され、システムコントローラ１８はネットワーク１２を介して雲台コントローラ２０と通信接続される。雲台コントローラ２０の操作画面にリモコン雲台１４の電源をオフするボタンが設けられ、操作者が該ボタンを操作すると雲台コントローラ２０からシステムコントローラ１８へリモコン雲台１４の電源をオフするコマンドが送信される。システムコントローラ１８が該コマンドを受けるとリモコン雲台１４への電源供給路が遮断される。【選択図】  図１
2010122318.tif 000002
【特許請求の範囲】
【請求項１】
カメラが搭載されたリモコン雲台カメラ装置と、
前記リモコン雲台カメラ装置を遠隔操作する操作装置と、
前記リモコン雲台カメラ装置へ電源供給を行うとともに、前記操作装置による遠隔操作によって前記リモコン雲台カメラ装置への電源の投入もしくは遮断が可能な電源供給部を具備するシステムコントローラと、
を備えたことを特徴とするリモコン雲台システム。
【請求項２】
請求項１に記載のリモコン雲台システムにおいて、
前記操作装置は、操作者によって操作されるボタンが設けられる操作画面を表示する表示手段を備えたことを特徴とするリモコン雲台システム。
【請求項３】
請求項２に記載のリモコン雲台システムにおいて、
前記表示手段はタッチパネル式表示装置を含むとともに、前記タッチパネル式表示装置は前記リモコン雲台カメラ装置に供給される電源の遮断もしくは投入を行うためのボタンが設けられることを特徴とするリモコン雲台システム。
【請求項４】
請求項１乃至３のいずれか１項に記載のリモコン雲台システムにおいて、
前記電源供給部は、所定の配線部材を介して前記リモコン雲台カメラ装置への電源供給を行うことを特徴とするリモコン雲台システム。
【請求項５】
請求項１乃至４のいずれか１項に記載のリモコン雲台システムにおいて、
前記システムコントローラは、前記リモコン雲台カメラ装置を遠隔操作する操作装置から送られる制御信号に基づいて、前記リモコン雲台カメラ装置への電源供給の遮断もしくは投入を行うように前記電源供給部を制御する電源供給制御部を備えたことを特徴とするリモコン雲台システム。
【請求項６】
請求項５に記載のリモコン雲台システムにおいて、
前記電源供給制御部は、前記操作装置から送られる制御信号に基づいて前記リモコン雲台カメラ装置への電源供給の遮断もしくは投入を行うように前記電源供給部を制御することを特徴とするリモコン雲台システム。
【請求項７】
請求項１乃至６のいずれか１項に記載のリモコン雲台システムにおいて、
前記システムコントローラは、前記操作装置とネットワークを介して通信を行う通信手段を備えたことを特徴とするリモコン雲台システム。
【発明の詳細な説明】
【技術分野】
【０００１】
本発明はリモコン雲台システムに係り、特に遠隔操作が可能な雲台コントローラの電源供給に関する。
【背景技術】
【０００２】
定点観測用等のテレビカメラはリモコン雲台に取り付けられ、雲台コントローラからの遠隔操作によってパンニング、チルティング、ズーミング、フォーカシングなどを行い、所望の撮影を行うことができるようになっている。例えば、天気など各地の様子を知らせるビデオカメラは各中継地点に設置され、各リモコン雲台はオペレータの所在地点に設置された複数の雲台コントローラとネットワーク接続され、各設置場所の雲台コントローラによってビデオカメラの制御が行われる。
【０００３】
上記のようなテレビカメラ及びリモコン雲台を遠隔操作するリモコン雲台システムには、リモコン雲台に対して電源を供給する機能を有するシステムコントローラが備えられている（特許文献１）。
【０００４】
リモコン雲台は２４時間３６５日無停止で通電させておくことが通常であり、ケーブルを介してリモコン雲台と接続されるシステムコントローラは、人の手の届かない場所に設置されることが多い。例えば、リモコン雲台が屋外に設置される場合、システムコントローラはケーブルが屋内へ引き込まれる箇所の屋内側や、屋外のリモコン雲台のすぐそばに設置される。
【特許文献１】特開２００５−２５０２７９号公報
【発明の開示】
【発明が解決しようとする課題】
【０００５】
近年、エコロジー、省エネルギーの観点から、撮影映像を必要とする限られた時間以外はリモコン雲台の電源を落としたいという要求をされることある。また、リモコン雲台やシステムコントローラのメンテナンスを行うときにリモコン雲台の電源リセットをしたいという要求もある。しかしながら、上述したようにリモコン雲台の電源をオンオフするという技術思想が存在していないために常時通電されるように構成されており、自由に電源のオンオフを行うことができないという課題が顕在化しつつある。
【０００６】
本発明はこのような事情に鑑みてなされたもので、雲台コントローラを用いてリモコン雲台を遠隔操作するリモコン雲台システムにおいて、遠隔操作によってリモコン雲台の電源を落とすことを可能とするリモコン雲台システムを提供することを目的とする。
【課題を解決するための手段】
【０００７】
上記目的を達成するために、本発明に係るリモコン雲台システムは、カメラが搭載されたリモコン雲台カメラ装置と、前記リモコン雲台カメラ装置を遠隔操作する操作装置と、前記リモコン雲台カメラ装置へ電源供給を行うとともに、前記操作装置による遠隔操作によって前記リモコン雲台カメラ装置への電源の投入もしくは遮断が可能な電源供給部を具備するシステムコントローラと、を備えたことを特徴とする。
【発明の効果】
【０００８】
本発明によれば、システムコントローラからリモコン雲台カメラ装置への電源の投入もしくは電源供給の遮断を遠隔操作によって行うことができるので、撮影時以外の映像が不必要な時間はリモコン雲台カメラ装置の電源を落とすことができ、リモコン雲台カメラ装置の省電力化が実現される。また、操作装置を操作者が操作することで、システムコントローラの電源供給部からリモコン雲台カメラ装置へ供給される電源の遮断もしくは電源投入を容易に行うことができる。
【発明を実施するための最良の形態】
【０００９】
以下、添付図面に従って、本発明の好ましい実施の形態について詳説する。
【００１０】
〔リモコン雲台システムの全体構成〕
図１は、本発明の実施形態に係る雲台コントローラが用いられるリモコン雲台システムの全体構成図である。同図に示すリモコン雲台システム１０は、ネットワーク１２を介してリモコン雲台（リモコン雲台カメラ装置）１４を遠隔操作するものであり、リモコン雲台１４はケーブル１６によってシステムコントローラ１８と接続され、さらに、システムコントローラ１８はネットワーク１２を介して雲台コントローラ（操作装置）２０と通信接続可能に構成されている。
【００１１】
本例における「ネットワーク」とは、所定の通信プロトコルによって双方向通信が可能な通信形態を含む概念であり、その一例としてＬＡＮ（local aria network）やＷＡＮ（wide arianetwork）などが挙げられる。もちろん、電話回線網などの公衆回線網を利用する態様も可能である。また、ネットワーク１２の通信形態は有線、無線を問わない。雲台コントローラ２０と通信装置（モデム等）を介して接続される形態でもよい。
【００１２】
リモコン雲台１４は、図示しないテレビカメラ（以下、単にカメラという。）を収納するハウジング１３と、ハウジング１３と共にカメラをパンニング（水平方向（パン方向）の回転動作）及びチルティング（垂直方向（チルト方向）の回転動作）させる雲台本体１５とから構成される。ハウジング１３の前面には透明の前面ガラス１７が設けられており、カメラはこの前面ガラス１７を介してハウジング１３の外部の映像を撮影する。
【００１３】
ハウジング１３は雲台本体１５から延設されたチルト軸（不図示）に片持ち支持されており、このチルト軸が雲台本体１５に内蔵されたチルトモータによって回転駆動される。
【００１４】
これにより、ハウジング１３と共にハウジング１３内のカメラがチルティングする。また、雲台本体１５は図示しない据付台上に固定されたパン軸１９によって支持されており、このパン軸１９を軸に雲台本体１５が内蔵のパンモータによって回転駆動される。これにより、ハウジング１３と共にハウジング１３内のカメラがパンニングする。なお、カメラをパンニング又はチルティングさせるリモコン雲台１４の動作をリモコン雲台１４のパン／チルト動作というものとする。
【００１５】
雲台コントローラ２０の操作面に設けられる操作部材（ツマミ、レバー等）２１や、タッチパネル付き液晶表示部２２に表示される操作画面を操作者が操作すると、雲台コントローラ２０からシステムコントローラ１８を介してリモコン雲台１４にコマンドが送出され、該コマンドに基づいてリモコン雲台１４のパン・チルト動作や、リモコン雲台１４に搭載されるテレビカメラ（不図示）のズーム動作、フォーカス動作等が行われる。
【００１６】
また、雲台コントローラ２０の操作画面に表示されたリモコン雲台１４の電源のオンオフ用の操作ボタン（図５のHEAD POWERボタン１１０）を操作すると、リモコン雲台１４の電源のオンオフを行うことができる。すなわち、通常稼動時におけるリモコン雲台１４の電源は常時オンであり、雲台コントローラ２０の前記操作ボタンを操作するとリモコン雲台１４の電源オフ、及び電源オフ後の再投入が可能に構成されている。
【００１７】
〔システムコントローラの説明〕
図２は、システムコントローラ１８の全体構成を示すブロック図である。なお、同図にはシステムコントローラ１８に接続されるリモコン雲台１４の一部を図示している。
【００１８】
同図に示すように、システムコントローラ１８は、雲台コントローラ２０（図１参照）との通信接続を行う通信インターフェース２４と、通信インターフェース２４を介して入力されるコマンドを受けてシステムコントローラ１８の各部に指令信号を送出するとともにリモコン雲台１４に指令信号を送出するＣＰＵ２６と、商用電源（ＡＣ１００Ｖ）２８から電力供給を受けてリモコン雲台１４に電源を供給する電源供給部３０と、を備えている。なお、図示は省略するが、システムコントローラ１８は商用電源２８から供給される電力からシステムコントローラ１８の各部に必要な電源を供給する電源装置（例えば、スイッチング電源装置）を備えている。
【００１９】
電源供給部３０はリレースイッチ３２を含み、リレースイッチ３２のスイッチ部入力端子３２Ａは商用電源２８と接続され、スイッチ部出力端子３２Ｂはケーブル１６を介してリモコン雲台１４の電源回路に接続されている。リレースイッチ３２はＣＰＵ２６から送出される制御信号の入力端子である制御端子（不図示）を備え、該制御端子に入力される制御信号に基づいてオンオフが制御される。
【００２０】
ネットワーク１２（図１参照）を介して雲台コントローラ２０からリモコン雲台１４の電源オフのコマンドが送られると、システムコントローラ１８のＣＰＵ２６は該コマンドに応じてリレースイッチ３２に対してリモコン雲台１４の電源オフに対応する制御信号を送出する。該制御信号が入力されたリレースイッチ３２はスイッチ部が開放状態となり商用電源２８からリモコン雲台１４への電源供給路が遮断される。図２に図示されたリレースイッチ３２はリモコン雲台１４の電源がオフとなる状態である。
【００２１】
一方、雲台コントローラ２０からリモコン雲台１４の電源再投入のコマンドが送られると、システムコントローラ１８のＣＰＵ２６は該コマンドに応じてリレースイッチ３２に対してリモコン雲台１４の電源再投入に対応する制御信号を送出する。該制御信号が入力されたリレースイッチ３２はスイッチ部が閉じた状態となり商用電源２８からリモコン雲台１４への電源供給路が再開される。
【００２２】
ケーブル１６は、リモコン雲台１４及びカメラに供給される電力が伝送される電力線３４と、リモコン雲台１４の制御信号及びカメラの制御信号が伝送される制御信号線３５と、を含んで構成される。なお、電力線３４と制御信号線３５とを個別のケーブルにより構成する態様も可能である。
【００２３】
ケーブル１６の電力線３４はリモコン雲台１４の電源回路３６に接続され、商用電源２８から供給される電力は、システムコントローラ１８のリレースイッチ３２及びケーブル１６の電力線３４を介して電源回路３６に送られる。また、システムコントローラ１８のＣＰＵ２６から送出されるリモコン雲台１４の制御信号及びカメラの制御信号はケーブル１６の制御信号線３５及びリモコン雲台１４の入力インターフェース３７を介してリモコン雲台１４のＣＰＵ３８へ送られる。
【００２４】
リモコン雲台１４の電源回路３６は、リモコン雲台１４の各部に必要な電源を生成するとともに、該各部に対して電源の供給を行うブロックである。本例では、商用電源２８から供給されるＡＣ１００Ｖを所定の直流電圧（ＤＣ５Ｖ等）に変換するスイッチング電源装置が適用される。
【００２５】
入力インターフェース３７は、ケーブル１６の端部に設けられるコネクタ（プラグ又はレセプタクル）と嵌号するコネクタを含んで構成される。該コネクタには多ピン狭ピッチコネクタが好適に用いられる。
【００２６】
ＣＰＵ３８は、入力インターフェース３７を介して入力された制御信号をリモコン雲台１４の各部及びカメラの各部に振り分ける機能を有している。すなわち、雲台コントローラ２０から送出されたリモコン雲台の制御コマンド及びカメラの制御コマンドはシステムコントローラ１８を介してリモコン雲台１４に送られ、リモコン雲台１４のＣＰＵ３８によって制御信号に変換されるとともに各部に制御信号が送られる。
【００２７】
〔雲台コントローラの説明〕
図３は、雲台コントローラ２０の操作面の構成を示した平面図である。同図に示すように雲台コントローラ２０の操作面には、操作棒（ジョイスティック）４４、フォーカスつまみ４５、ズームレバー４６、液晶表示部２２が配置されている。図３に図示したジョイスティック４４、フォーカスつまみ４５、ズームレバー４６は、図１において操作部材２１として図示されている。
【００２８】
ジョイスティック４４は、リモコン雲台１４をパン／チルト操作するために機械的に構成された操作部材であり、ジョイスティック４４を前後左右に傾斜させると、その傾斜方向及び傾斜量に応じた方向及び速度でリモコン雲台１４をパン／チルト動作させることができる。
【００２９】
フォーカスつまみ４５は、カメラ（レンズ）のフォーカス操作を行うために機械的に構成された操作部材であり、フォーカスつまみ４５を回動操作すると、その位置に応じたフォーカス位置にフォーカスを移動させることができる。
【００３０】
ズームレバー４６は、カメラ（レンズ）のズーム操作を行うために機械的に構成された操作部材であって、左右方向の中央にある前後方向の軸を中心に揺動するようになっている。ズームレバー４６の左右のいずれかを押すと、押した側及びその押込み量に応じた方向及び速度でズームを移動させることができる。
【００３１】
液晶表示部２２は、パン／チルト操作、フォーカシング操作及びズーム操作の制御以外のリモコン雲台１４及びカメラの制御機能に関する操作を行うための操作部であり、液晶パネルと液晶パネルの表面に設置されたタッチパネルとから構成されている。例えば、リモコン雲台１４の電源をオフするためのHEAD POWERボタン（図２中不図示、図５に符号１１０を付して図示）が表示される。また、所定のバッチ処理が割り付けられたファンクションキーを液晶表示部２２に表示させるように構成してもよい。
【００３２】
図４は、雲台コントローラ２０の全体構成を示したブロック図である。同図において、図３に示したジョイスティック４４、フォーカスつまみ４５、ズームレバー４６は、操作部５２として示されており、その操作部５２での操作はＣＰＵ５０によって検出されるようになっている。ＣＰＵ５０は、通信インターフェース５４を介して操作に対応するコマンドを通じてリモコン雲台１４に送信する。これによって操作部５２の操作に従ってリモコン雲台１４及びカメラが制御される。
【００３３】
また、ＣＰＵ５０は通信インターフェース５４を通じて通信を確立したリモコン雲台１４及び該リモコン雲台１４に搭載されたカメラを認識する機能を有している。接続可能なリモコン雲台１４、及びリモコン雲台１４に搭載されるカメラ、該カメラに装着されるレンズ等の光学系に関する情報が予めメモリ６０に記憶されており、ＣＰＵ５０はメモリ６０から認識したリモコン雲台１４及びカメラに関する情報を読み出し、該情報を液晶パネル５６に表示する。
【００３４】
メモリ６０に記憶される情報は、カメラの機種名、レンズの機種名を含み、さらに光学系の情報としてＭＯＤ、レンズの焦点距離、エクステンダーの有無、アイリス値などを含んでいてもよい。
【００３５】
図１及図３に示したタッチパネル付き液晶表示部２２は、図４において液晶パネル５６とタッチパネル５８として示されており、液晶パネル５６には操作画面がＣＰＵ５０からの駆動信号によって図示しないドライバを介して表示されるようになっている。また、液晶表示部２２の画面をタッチするとタッチパネル５８によりタッチされた位置を示す信号が図示しないドライバを介してＣＰＵ５０に与えられるようになっている。ＣＰＵ５０は、液晶パネル５６に表示している現在の操作画面上においてどのスイッチがタッチされたかをタッチパネル５８からの信号により検出し、いずれかのスイッチがタッチされたと判断した場合にはそれに対応する処理を実行する。
【００３６】
例えば、通信インターフェース５４を通じてカメラの制御機能に関するスイッチがタッチされた場合にそれに対応するコマンドをリモコン雲台１４に送信する処理、操作画面上のスイッチがタッチされてオンからオフ又はオフからオンに切り替わる場合にスイッチの明るさを変更する処理等を行う。
【００３７】
メモリ６０は、各種情報が記憶される記憶手段であり、ＣＰＵ５０によってデータの書き込み及び読み出しの制御が行われる。また、メモリ６０には液晶表示部２２の画面レイアウトなどの情報や、上述したカメラ、レンズ等の情報、カメラの特別な機能や操作のための専用のソフトウエア（プログラム）が記憶される。
【００３８】
上記実施の形態では、機械的に構成される操作部材はジョイスティック４４、フォーカスつまみ４５、ズームレバー４６としたが、これに限らない。例えば、連続的な値を調整する操作によって制御される機能に関しては液晶表示部２２の画面上で例えばアップ／ダウンスイッチをタッチ操作して調整するよりも、つまみ等の機械的に構成された操作部材を用いて操作した方が操作しやすくなるため、そのような機能については機械的に構成される操作部材で操作できるようにしてもよい。
【００３９】
なお、図４には雲台コントローラ２０に通信インターフェース５４を内蔵する態様を例示したが、雲台コントローラ２０とネットワーク１２との間に通信装置を備え、該通信装置とのインターフェースを雲台コントローラ２０に備える態様も可能である。
【００４０】
〔操作画面の説明〕
次に、図３に示す液晶表示部２２（図４の液晶パネル５６）に表示される操作画面について説明する。
【００４１】
図５は、液晶表示部２２に表示される操作画面１００の一例を図示したものである。同図に示す操作画面１００の中央部には、多数の操作ボタンが表示される操作ボタン表示部１０２が設けられる。操作ボタン表示部１０２は７種類の操作ボタン群を表示することができ、各操作ボタン群は階層構造を構成している。
【００４２】
すなわち、図５に示す操作ボタン表示部１０２は「CAMERA CTL」、「SHOT CTL」、「TRACE CTL」、「ESC CTL」、「FUNCTL」、「OTHER CTL」、「DIRECTION」が表示された７つのタブが表示され、７つのタブのいずれかを操作することで所望の選択ボタン群を選択することができ、選択された操作ボタン群が操作ボタン表示部１０２に表示されるように構成されている。
【００４３】
図５のESC CTLタブ１０４を操作してESCCTLタブ１０４のボタン群を選択すると、HEAD POWERボタン１１０、HEAD POWERボタン１１０に対応するボタン表示部１１２、オプションボタン１１４〜１２０、オプションボタン１１４〜１２０に対応するボタン表示部１２２〜１２８が表示される。
【００４４】
HEAD POWERボタン１１０は、先に説明したリモコン雲台１４（図１参照）の電源オフに対応するコマンド及び電源再投入に対応するコマンドを発行するための操作ボタンであり、ボタン表示部１１２の表示が「ON」の状態（リモコン雲台１４に電源が供給されている状態）でHEAD POWERボタン１１０を操作すると、リモコン雲台１４の電源オフに対応するコマンドが発行されるとともに、ボタン表示部１１２の表示が「OFF」に切り換わる。一方、ボタン表示部１１２の表示が「OFF」の状態（リモコン雲台１４への電源供給が遮断されている状態）でHEAD POWERボタン１１０を操作すると、リモコン雲台１４の電源再投入に対応するコマンドが発行されるとともに、ボタン表示部１１２の表示が「OFF」に切り換わる。
【００４５】
すなわち、通常の動作中は図５に示す状態であり、この状態でHEAD POWERボタン１１０を操作するとリモコン雲台１４の電源をオフすることができ、再度HEAD POWERボタン１１０を操作するとリモコン雲台１４の電源を再投入することができる。なお、電源オフに対応するボタンと電源再投入に対応するボタンとを別途設ける態様も可能である。
【００４６】
図５に示すオプションボタン１１４〜１２０は、通信回線網などに接続された複数のリモコン雲台１４及びカメラを１台の雲台コントローラ２０により操作する場合に、リモコン雲台ごと（カメラごと）の個別の機能を割り付けることができる操作ボタンであり、初期状態（機能が設定されていない状態）では、AUXl、AUX2、AUX3、AUX4のような汎用的な名称が表示されている。
【００４７】
このオプションボタン１１４〜１２０の表示は、一目で機能の内容を把握することがきる機能名称に変更することができ、機能が割り当てられていないボタンはその旨が把握できる表示に変更することができる。また、オプションボタン１１４〜１２０に対応するボタン表示部１２２〜１２８も割り付けられた機能の対応する表示に変更可能である。
【００４８】
例えば、オプションボタン１１４に後付けのオプションフィルタ機能、オプションボタン１１６に受信用FPUのパワーオンオフ機能、オプションボタン１１８に送信用FPUのパワーオンオフ機能が割り付けられ、オプションボタン１２０は機能の割り付けがない場合には、オプションボタン１１４〜１１８の表示はそれぞれの機能を表す「FILTER」、「RX FPU PW」、「TXFPU PW」が表示され、機能が割り付けられていないボタン１２０に対応するボタン表示部１２８は「‐」が表示されるといった態様が可能である。
【００４９】
このように、一目で見てわかりやすい機能名称をオプションボタンに表示することで、操作者が接続先ごとにオプションボタンの機能を覚える必要がなく、各ボタンの機能を覚えていなくても機能を把握することができ、誤操作を未然に防ぐことが可能となる。なお、本例では、タッチパネル方式のボタンについて説明したが、機械式ボタンの名称を表示する表示装置における表示制御にも適用可能である。
【００５０】
図５に示すように、操作画面１００は、操作ボタン表示部１０２以外にも様々な操作ボタンや表示部が設けられている。すなわち、操作画面１００は、複数の選択ボタン１３０が設けられた選択ボタン表示部１３２と、該雲台コントローラ２０（図１参照）と通信接続されるリモコン雲台１４（図１参照）の状態を表示するリモコン雲台状態表示部１３４と、該雲台コントローラ２０と通信接続されるリモコン雲台１４に搭載されるカメラの設定を表示するカメラ設定表示部１３６が設けられている。
【００５１】
操作画面１００の上端部に設けられる選択ボタン表示部１３２は、複数の選択ボタン１３０を含んで構成され、複数台のリモコン雲台を１台又は複数台の雲台コントローラを用いて制御するマルチ通信システムにおいて、雲台コントローラ２０から操作を行うリモコン雲台１４を選択するためのものである。図５には、８つの選択ボタン１３０−１〜１３０−８が設けられる態様を図示したが、選択ボタン１３０の数は雲台コントローラと通信回線網との通信接続を行う通信装置の数に対応して追加又は削除してもよい。
【００５２】
選択ボタン表示部１３２の下段にはリモコン雲台状態表示部１３４が設けられている。図５には、リモコン雲台の状態として、カメラを挿脱するためのハウジングドアの開閉情報（DOOR ALARM）、ハウジング内の温度情報（TEMP ALARM）、パン／チルトの位置情報（PAM/TILT ALARM）、ハウジングの窓（窓ガラス）の霜等を除去するデフロスタ（DEFROSTER）や、ハウジング内の温度を調整するヒーター（HEATER）又はフアン（FAN）等の動作状況を示す情報、撮影中であるか否か（ON AIR）などを表示する態様を例示した。
【００５３】
操作ボタン表示部１０２の下段（操作画面１００の下端部）には、カメラの設定が表示されるカメラ設定表示部１３６が設けられている。図５にはカメラの設定として、ショットタイム、RGBゲイン、ペデスタル、絞りの設定を表示する態様を例示した。
【００５４】
このような操作画面１００のレイアウトは図４のメモリ６０に記憶され、雲台コントローラ２０とリモコン雲台１４との通信接続が確立されると、液晶表示部２２に操作画面１００が表示される。なお、図５に示す操作画面１００のレイアウトはあくまでも一例であり、適宜変更、追加、削除が可能である。また、接続先ごとに表示内容を切り換えてもよい。
【００５５】
上記の如く構成された雲台コントローラ２０によれば、撮影時間以外の映像が必要でない時間はリモコン雲台１４の電源を容易に落とすことができ、また、必要に応じて電源を入れることができるので、リモコン雲台１４の省電力化に寄与するとともに、リモコン雲台システム１０全体の省電力化にも寄与し、省電力及びエコロジーの観点からも好ましいシステムといえる。
【００５６】
本例では、リモコン雲台１４の電源を遮断した後に、雲台コントローラ２０のHEAD POWERボタン１１０を再操作してリモコン雲台１４の電源の再立ち上げを行う態様を例示したが、電源の遮断から所定時間が経過した後に自動的に電源の再立ち上げが行われるように構成してもよい。
【００５７】
本発明は、特定の人間のみの立ち入りが許可されるセキュリティエリアにシステムコントローラ１８が設置される場合や、人間が立ち入ることが難しい場所にシステムコントローラ１８が設置される場合において、特に大きな効果を得ることができる。
【００５８】
〔応用例〕
次に、本発明の実施形態に係るリモコン雲台システムの応用例について説明する。以下に説明する応用例は、通信回線網などに接続された複数のリモコン雲台及びカメラを１台又は複数台の雲台コントローラにより操作するマルチ通信システムへの適用例である。
【００５９】
図６は、本応用例に係るリモコン雲台システム２００の全体構成を示すブロック図である。同図に示すリモコン雲台システム２００は、ネットワーク２０２に接続される２５６台のリモコン雲台２０４−１〜２０４−２５６と、前記ネットワーク２０２に接続される８台のモデム２０６−１〜２０６−８と、ＬＡＮ（Local Area Network）２０８を介してモデム（通信装置）２０６と接続される複数台（図６では３台）の雲台コントローラ２２０−１〜２２０−３と、を含んで構成されている。
【００６０】
なお、図６において、ネットワーク２０２とリモコン雲台２０４との間に設けられているシステムコントローラ（図１参照）の図示は省略されている。また、図６の雲台コントローラ２２０−１〜２２０−３は、図１等に図示した雲台コントローラ２０の機能を備えたものである。
【００６１】
ネットワーク２０２は電話回線網やインターネットなどの大規模な公衆回線網が適用され。ＬＡＮ２０８は構内通信網や小規模通信網といった小規模なエリアを対象とする通信形態が適用される。また、ネットワーク２０２及びＬＡＮ２０８の通信形態は有線、無線を問わない。
【００６２】
各リモコン雲台２０４は識別情報（ネットワーク２０２上における接続情報）が付与されている。リモコン雲台２０４の識別情報はネットワーク２０２の種類に応じて電話番号やＩＰアドレス（ＵＲＬ）が適用される。図６にはリモコン雲台２０４の接続情報として電話番号（１０桁の数字列）とランドマーク名を例示した。
【００６３】
雲台コントローラ２２０にはネットワーク２０２に接続されるリモコン雲台１４が予め登録されており、雲台コントローラ２２０に設けられたタッチパネル付き液晶表示部２２２にリモコン雲台２０４の一覧が表示される。雲台コントローラ２２０の操作者は、タッチパネル付き液晶表示部２２２上で通信を行うリモコン雲台２０４の選択操作ができるように構成されている。
【００６４】
雲台コントローラ２２０に登録されるリモコン雲台２０４の情報には、リモコン雲台２０４の電話番号（ＩＰアドレス）、及び各リモコン雲台２０４が設置される設置先の名称（図６においてアルファベット３文字で表した文字列）が含まれる。
【００６５】
このように１台乃至は２台以上の雲台コントローラ２２０がＬＡＮ２０８などのマルチ通信システムによって接続された操作システムと、複数台用意されているリモコン雲台１４と、を公衆回線網やインターネット等のネットワーク２０２を用いて通信の確立及び切断を行えるシステムを構築した場合、操作者は意図するリモコン雲台２０４に対して通信を試み、通信を確立できた場合にはそのリモコン雲台２０４に搭載されたテレビカメラ（不図示）を操作して所望の撮影が行われる。
【００６６】
図６に示すリモコン雲台システム２００は、１台の雲台コントローラ２２０と通信可能なリモコン雲台２０４が複数存在し、雲台コントローラ２２０の液晶表示部２２２に表示される一覧の中から通信を試みるリモコン雲台２０４を選択し、選択されたリモコン雲台２０４について通信の確立を試みるように構成されている。一覧に表示するリモコン雲台２０４は、予め登録された通信先として各雲台コントローラ２２０に記憶しておき、登録されたリモコン雲台２０４の中から選択するものとして選択ミスを極力低くする配慮をしたものである。かかる事情を考慮して、電話番号などの接続情報とともに固有名称（設置先の地名、建物名など設置先を表す情報）を登録可能としておく。図６に示すように、雲台コントローラ２２０の液晶表示部２２２に各リモコン雲台２０４の接続情報と固有名称を表示することによって、選択ミスの低減化を実現している。
【００６７】
各雲台コントローラ２２０に登録されるリモコン雲台２０４の登録情報は、ＬＡＮ２０８に接続されるすべての雲台コントローラ２２０における共有の情報として管理される。すなわち、ＬＡＮ２０８に接続されるすべて雲台コントローラ２２０がリモコン雲台２０４の登録情報を共有し、かつ、それぞれの雲台コントローラ２２０に登録情報を記憶しておくことでは、ＬＡＮ２０８に接続されるすべての雲台コントローラ２２０において共通の通信先の選択操作が可能となる。
【００６８】
リモコン雲台２０４の登録は、雲台コントローラ２２０のタッチパネルやソフトウエアキーボード、外部接続されるキーボード等のユーザインターフェースを用いて入力する形式でもよいし、外部入力端子を介して電子ファイル形式で作成された一覧表のファイルを読み込む方式でもよい。また、一つの雲台コントローラ２２０に記憶された情報（ファイル）を他の雲台コントローラ２２０に複写するような構成と、複数の雲台コントローラ２２０の間でファイルを共有することができ好ましい。
【００６９】
なお、上述したリモコン雲台２０４の登録方法は、図１に示すリモコン雲台システム１０にもそのまま適用可能である。また、新しいリモコン雲台やカメラの情報を追加する必要が生じた場合には、上述した登録方法によって記憶内容を適宜更新可能である。
【００７０】
図７は、図６に図示した雲台コントローラ２２０の液晶表示部２２２に表示される操作画面２２４を示す図である。なお、図７中、図６と同一又は類似する部分には同一の符号を付し、その説明は省略する。
【００７１】
操作画面２２４の上端部に設けられる選択ボタン表示部１３２は、複数のリモコン雲台（図６参照）の中から制御対象の１台を選択するための複数の選択ボタン１３０が表示される。複数の選択ボタン１３０は雲台コントローラ２２０とネットワーク２０２とをつなぐモデム２０６に対応している。
【００７２】
すなわち、図７に図示した８個の選択ボタン１３０−１〜１３０−８のそれぞれに対して８個のモデムが割り付けられている。選択ボタン１３０の数はモデムの数に応じて適宜追加又は削除することができる。また、対応するモデムが存在しない選択ボタン１３０があってもよい。
【００７３】
選択ボタン１３０は、通信が確立されたリモコン雲台２０４の識別情報を表示することができる。図７に示す操作画面２２４において、選択ボタン１３０−１の「ａａａ」という表示は識別情報「ａａａ」を持つリモコン雲台２０４との通信が選択ボタン１３０−１に割り付けられたモデムを介して確立されていることを意味している。ここで、識別情報とはリモコン雲台の固有名称を含む概念であり、例えば、リモコン雲台１４の設置場所や電話番号、ＩＰアドレスなどが挙げられる。また、設置場所の具体例としては、「東京タワー」、「ベイブリッジ」、「新宿御苑」などのランドマーク名や、「東京都新宿区□□１−２−３」などの住所、「新宿」などの地名が挙げられる。
【００７４】
同様に、選択ボタン１３０−２の「ｂｂｂ」という表示は、選択ボタン１３０−２に割り付けられたモデムを介して識別情報「ｂｂｂ」を持つリモコン雲台１４との通信が確立されていることを表し、選択ボタン１３０−３の「ｃｃｃ」という表示は、選択ボタン１３０−３に割り付けられたモデムを介して識別情報「ｃｃｃ」を持つリモコン雲台１４との通信が確立されていることを意味する。一方、選択ボタン１３０−４〜８の「‐」という表示は、選択ボタン１３０−４〜８のそれぞれに割り付けられたモデムが未使用の状態を意味している。
【００７５】
図７は、「CAMERA CTL」タブ２４０を選択して、カメラの制御に関連する操作ボタン２４２の一群を表示した状態を図示したものである。
【００７６】
操作ボタン２４２は文字情報により割り付けられた機能が表示されるとともに、操作ボタン２４２の上側に設けられたボタン表示部２４４は対応するボタンの状態が表示される。例えば、上段左端の操作ボタン２４２は電源のオンオフ機能を有するボタンであり、その機能を意味する「POWER」の文字が表示され、当該操作ボタン２４２に対応するボタン表示部２４４に電源のオンオフ状態（図７ではオン状態）が表示される。
【００７７】
なお、図７は操作ボタン表示部１０２（CAMERA CLTタブ）に表示可能な操作ボタン２４２及びボタン表示部２４４をすべて表示したが、これらの操作ボタン２４２の中から必要なボタンのみを選択的に表示してもよい。
【００７８】
カメラ情報表示部２５０に表示されるカメラ情報は、通信を確立しているカメラの名称、型式等の情報が表示される。図７には、カメラの型式（AB-C1000）及びレンズ型式（HB14×6.3BER）を表示する態様を例示した。カメラ情報表示部２５０はレンズの仕様などの光学系の情報を表示してもよい。例えば、カメラの型式及びレンズの型式に加えて、Ｍ．Ｏ．Ｄ、焦点距離範囲、エクステンダーの有無を表示してもよい。
【００７９】
カメラ情報表示部２５０のカメラ情報は、少なくとも操作者がその情報を確認したいときに表示されればよい。また、図７に図示したカメラの型式及びレンズの型式のみのカメラ情報と、Ｍ．Ｏ．Ｄ等を含むカメラ情報（不図示）と、を切り換えて表示してもよい。例えば、通常はカメラの型式及びレンズの型式のみのカメラ情報が表示され、操作者がボタン操作等を行うとＭ．Ｏ．Ｄ等を含むカメラ情報に切り換わり、同じ操作を再度行うとカメラの型式及びレンズの型式のみのカメラ情報に戻るように構成してもよい。
【００８０】
図７に図示した操作画面２２４では、カメラ設定表示部１３６に表示されるカメラの設定として、ショットタイム、RGBゲイン、ペデスタル、絞りの設定を表示する態様を図示した。
【００８１】
なお、通信接続が確立されたリモコン雲台２０４に搭載されるカメラに応じて操作画面のレイアウトが変更されるように構成する態様も可能である。例えば、ネットワーク２０２（図６参照）に接続されるリモコン雲台２０４に搭載されるカメラの操作画面のレイアウトが、カメラごとに雲台コントローラ２２０内のメモリ（例えば、図４のメモリ６０）に記憶され、雲台コントローラ２２０とリモコン雲台２０４との通信接続が確立されると、雲台コントローラ２２０によってカメラが識別され、当該カメラに対応する操作画面のレイアウトが読み出され液晶表示部２２に表示されるように構成する態様が可能である。
【００８２】
かかる構成は、異なる種類のカメラ（及びリモコン雲台２０４）を１つの雲台コントローラ２２０によって操作（制御）する場合において、カメラごとの機能やその機能を実現するための操作を操作者が覚える必要がなく、操作ミスの防止にも役立つといえる。
【００８３】
上記の実施形態では、ネットワークを介して接続される雲台コントローラによりテレビカメラが装着されるリモコン雲台の遠隔操作を可能にするリモコン雲台システムについて説明したが、本発明の目的を逸脱しない範囲において適宜変更が可能である。
【００８４】
〔付記〕
上記に詳述した発明の実施形態についての記載から把握されるとおり、本明細書は少なくとも以下に示す発明を含む多様な技術思想の開示を含んでいる。
【００８５】
（発明１）：カメラが搭載されたリモコン雲台カメラ装置と、前記リモコン雲台カメラ装置を遠隔操作する操作装置と、前記リモコン雲台カメラ装置へ電源供給を行うとともに、前記操作装置による遠隔操作によって前記リモコン雲台カメラ装置への電源の投入もしくは遮断が可能な電源供給部を具備するシステムコントローラと、を備えたことを特徴とするリモコン雲台システム。
【００８６】
本発明によれば、システムコントローラからリモコン雲台カメラ装置への電源の投入もしくは電源供給の遮断を遠隔操作によって行うことができるので、撮影時以外の映像が不必要な時間はリモコン雲台カメラ装置の電源を落とすことができ、リモコン雲台カメラ装置の省電力化が実現される。また、操作装置を操作者が操作することで、システムコントローラの電源供給部からリモコン雲台カメラ装置へ供給される電源の遮断もしくは電源投入を容易に行うことができる。
【００８７】
（発明２）：発明１に記載のリモコン雲台システムにおいて、前記操作装置は、操作者によって操作されるボタンが設けられる操作画面を表示する表示手段を備えたことを特徴とする。
【００８８】
かかる態様によれば、操作装置に設けられるボタンを操作することで、リモコン雲願カメラ装置の電源のオンオフを容易に行うことができる。
【００８９】
（発明３）発明２に記載のリモコン雲台システムにおいて、前記表示手段はタッチパネル式表示装置を含むとともに、前記タッチパネル式表示装置は前記リモコン雲台カメラ装置に供給される電源の遮断もしくは投入を行うためのボタンが設けられることを特徴とする。
【００９０】
かかる態様によれば、タッチパネル式の表示装置を用いて操作者が操作するボタンを構成することで、操作装置の高機能化及び小型化することが可能となる。
【００９１】
（発明４）：発明１乃至３のいずれかに記載のリモコン雲台システムにおいて、前記電源供給部は、所定の配線部材を介して前記リモコン雲台カメラ装置への電源供給を行うことを特徴とする。
【００９２】
すなわち、システムコントローラは該配線部材によりリモコン雲台カメラ装置と接続される。
【００９３】
配線部材の一方の端部にシステムコントローラに設けられる接続部材と嵌合する接続部材を備え、他方の端部にリモコン雲台カメラ装置に設けられる接続部材と嵌合する接続部材を備える態様が好ましい。
【００９４】
（発明５）：発明１乃至４のいずれかに記載のリモコン雲台システムにおいて、前記システムコントローラは、前記リモコン雲台カメラ装置を遠隔操作する操作装置から送られる制御信号に基づいて、前記リモコン雲台カメラ装置への電源供給の遮断もしくは投入を行うように前記電源供給部を制御する電源供給制御部を備えたことを特徴とする。
【００９５】
操作装置から送られる制御信号が入力される信号入力部と、入力された制御信号を電源供給部に対する指令信号に変換する信号変換部と、を備える態様が好ましい。
【００９６】
（発明６）発明５に記載のリモコン雲台システムにおいて、前記電源供給制御部は、前記操作装置から送られる制御信号に基づいて前記リモコン雲台カメラ装置への電源供給の遮断もしくは投入を行うように前記電源供給部を制御することを特徴とする。
【００９７】
すなわち、電源供給制御部はリモコン雲台カメラ装置への電源供給のオンオフを切り換えるように電源供給部を制御する。
【００９８】
（発明７)：発明１乃至６のいずれか１項に記載のリモコン雲台システムにおいて、前記システムコントローラは、前記操作装置とネットワークを介して通信を行う通信手段を備えたことを特徴とする。
【００９９】
かかる態様におけるネットワークとは、公衆回線網などの大規模エリアを対象とする形態でもよいし、ＬＡＮなどの小規模エリアを対象とする形態でもよい。また、通信形態は有線でもよいし、無線でもよい。
【図面の簡単な説明】
【０１００】
【図１】本発明の実施形態に係るリモコン雲台システムの全体構成図
【図２】図１に示すシステムコントローラの全体構成を示すブロック図
【図３】図１に示す雲台コントローラの操作面の構成を示す平面図
【図４】図１に示す雲台コントローラの全体構成を示すブロック図
【図５】図２に示す雲台コントローラの操作画面を説明する図
【図６】本発明の応用例に係るリモコン雲台システムの全体構成図
【図７】図６に示す雲台コントローラの操作画面を説明する図
【符号の説明】
【０１０１】
１０，２００…リモコン雲台システム、１２，２０２…ネットワーク、１４，２０４…リモコン雲台、２０，２２０…操作装置、２２，２２２…液晶表示部、５０…ＣＰＵ、５６…表示部、５８…タッチパネル、１００，２２４…操作画面、１１０…操作ボタン
【図１】
2010122318.tif 000003
【図２】
2010122318.tif 000004
【図３】
2010122318.tif 000005
【図４】
2010122318.tif 000006
【図５】
2010122318.tif 000007
【図６】
2010122318.tif 000008
【図７】
2010122318.tif 000009